(57)【要約】【課題】カートリッジの移動を伴わないディスク装置においても、シャッターの開閉を行うことが可能なディスク装置を提供する。【解決手段】ディスク装置２には、待機位置と記録・再生位置との間を移動自在なクランプ機構３が設けられている。クランプ機構３には、カートリッジ１のシャッター１２を開閉するための開閉部３３０が設けられている。カートリッジ１を載置した後、クランプ機構３は記録・再生位置へＢ１方向に移動する。このとき開閉部３３０はシャッター１２の凸部１２０を押圧し、シャッター１２が開放される。【選択図】図４
2006079697.tif 000002
【特許請求の範囲】
【請求項１】
ディスクを収納し、開口部と、前記開口部を覆い開閉可能なシャッターとを備えたカートリッジを装着可能なディスク装置であって、
前記カートリッジを着脱するための待機位置と前記ディスクに記録・再生を行うための記録・再生位置との間を移動可能なクランプ機構を有し、
前記クランプ機構の移動に連動して前記シャッターの開閉を行う開閉部を、前記クランプ機構に備えていることを特徴とするディスク装置。
【請求項２】
前記開閉部が、前記記録・再生位置で、前記シャッターを開状態に維持することを特徴とする請求項１記載のディスク装置。
【請求項３】
前記クランプ機構が前記シャッターの開閉方向に移動可能であることを特徴とする請求項１記載のディスク装置。
【請求項４】
前記開閉部が、前記待機位置において前記カートリッジの載置領域から退避するための退避位置と、前記開閉時に前記シャッターと当接可能な開閉位置との間を移動することを特徴とする請求項１記載のディスク装置。
【発明の詳細な説明】
【技術分野】
【０００１】
本発明は、シャッター開閉式カートリッジを装着可能なディスク装置に関するものである。
【背景技術】
【０００２】
近年、情報記録媒体として光ディスクが広く用いられている。このような光ディスクには、汚れ，指紋の付着や傷つきの防止など、ディスク保護のためカートリッジに収納されたものが提供されている。
【０００３】
通常、カートリッジには、収納されたディスクを露出するための開口部と、開口部を覆い塞ぎ開閉自在なシャッターを備えている。このようなカートリッジを装着可能なディスク装置は、シャッターの開閉機構を有する必要がある。
【０００４】
シャッターの開閉機構としては、例えば特開２００１−２５６７０６号のような機構が知られている。
【０００５】
従来のディスク装置では、引き込み位置と引き出し位置との間を移動自在なディスクトレイを備えており、ディスクトレイには、ディスクトレイの移動方向と略直行な方向に移動自在なシャッター開閉部材が設けられている。ディスク装置の筐体には、ディスクトレイの移動に応じて、シャッター開閉部材を移動させるガイドレールが設けられている。
【０００６】
カートリッジは、シャッターの開閉方向がシャッター開閉部材の移動方向と同じになる向きに、ディスクトレイに載置する事ができる。よって、カートリッジがディスクトレイに装着され、引き出し位置から引き込み位置に移動すると、シャッター開閉部材がシャッターに当接して開放方向へ移動し、シャッター開閉部材によりシャッターが開放される。
【特許文献１】特開２００１−２５６７０６号公報
【発明の開示】
【発明が解決しようとする課題】
【０００７】
しかしながら、従来のディスク装置では、シャッターの開閉はディスクトレイの移動に連動、すなわち、カートリッジの移動に連動して行われており、カートリッジの移動を伴わないディスク装置では、前記開閉機構によってシャッターを開閉することができない。したがって、シャッター開閉機構を新たに設ける必要があり、独立してシャッター開閉機構を設けると、部品点数および組み立て工数が大幅に増加するという課題を有していた。
【０００８】
本発明は、前記従来の課題に鑑み、カートリッジの移動を伴わないディスク装置においても、シャッター開閉を行うことができるディスク装置を、部品点数および組み立て工数を大幅に増やすことなく提供するものである。
【課題を解決するための手段】
【０００９】
上記問題点を解決するために、本発明の請求項１記載のディスク装置は、カートリッジを着脱するための待機位置と、ディスクに記録・再生を行うための記録・再生位置との間を移動可能なクランプ機構を有し、クランプ機構の移動に連動しシャッターの開閉を行う開閉部を、クランプ機構に備えていることを特徴とするものである。
【００１０】
本構成によれば、クランプ機構が移動することでシャッターの開閉を行うことができる。よって、シャッター開閉機構を独立して設けることなく、カートリッジの移動を伴わないディスク装置においても、シャッターの開閉を行うことができるディスク装置を、部品点数および組み立て工数を大幅に増やすことなく提供することができる。
【発明の効果】
【００１１】
本発明のディスク装置によれば、カートリッジの移動を伴わないディスク装置においても、シャッターの開閉を行うことができるディスク装置を、部品点数および組み立て工数を大幅に増やすことなく提供することができる。
【発明を実施するための最良の形態】
【００１２】
本発明の請求項１に記載の発明は、ディスクを収納し、開口部と、前記開口部を覆い開閉可能なシャッターとを備えたカートリッジを装着可能なディスク装置であって、前記カートリッジを着脱するための待機位置と前記ディスクに記録・再生を行うための記録・再生位置との間を移動可能なクランプ機構を有し、前記クランプ機構の移動に連動して前記シャッターの開閉を行う開閉部を、前記クランプ機構に備えているものである。
【００１３】
請求項２に記載の発明は、前記開閉部が、前記記録・再生位置で、前記シャッターを開状態に維持するものである。
【００１４】
請求項３に記載の発明は、前記クランプ機構が前記シャッターの開閉方向に移動可能であるものである。
【００１５】
請求項４に記載の発明は、前記開閉部が、前記待機位置において前記カートリッジの載置領域から退避するための退避位置と、前記開閉時に前記シャッターと当接可能な開閉位置との間を移動するものである。
【００１６】
以下に本発明のディスク装置を実施するための最良の形態について、図面を参照しながら説明する。
【００１７】
（実施の形態１）
まず、本発明に係るディスク装置に用いられるカートリッジについて、図1を用いて説明する。
【００１８】
図１（ａ）は、シャッターが閉塞状態にあるカートリッジの平面図である。図１（ｂ）は、シャッターが開放状態にあるカートリッジの平面図である。
【００１９】
カートリッジ１の本体であるケース１０は、略直方体で中空の形状をしており、円盤状の記録媒体であるディスク１１が回転自在に収納されている。開口部１００は、ケース１０のディスク１１と対する面に、略中央からケース１０の端面１０１に向かって、端面１０１近傍まで設けられている。開口部１００より、ディスク１１の一部はケース１０の外部に露出している。
【００２０】
記録・再生時には、後述するターンテーブル４２とクランパ３２が、開口部１００を通過して、ケース１０の内部でディスク１１を狭持し回転する。また、光ピックアップ４１も開口部１００を通して、ディスク１１に情報の書き込みまたは読み込みを行う。
【００２１】
シャッター１２は、開口部１００を覆い塞ぎ、開閉自在にケース１０に設けられている。シャッター１２は、ケース１０の両面の開口部１００と端面１０１を覆うように、断面が略コの字形状をしており、端面１０１側には、シャッター開閉時に係合する凸部１２０が設けられている。
【００２２】
シャッター１２は、図１（ａ）に示す開口部１００を覆い塞ぐ閉塞位置と、図１（ｂ）に示す開口部１００を開放する開放位置との間を、端面１０１に平行な開閉方向Ａ１−Ａ２に摺動自在に取り付けられている。また、シャッター１２は、図示せぬシャッターばねにより、閉塞位置に付勢されている。
【００２３】
また、端面１０１の両端部には、シャッター１２が開放位置より外側に移動しないよう凸部１０２が設けられている。
【００２４】
次に、本発明に係るディスク装置について図２から図７を用いて説明する。
【００２５】
図２はディスク装置の待機状態を示す平面図である。図３はディスク装置の待機状態を示す側面図である。図４はディスク装置にカートリッジを載置した状態の平面図である。図５はディスク装置においてクランプベースが記録・再生位置に移動完了した状態の平面図である。図６はディスク装置においてクランプベースが記録・再生位置に移動完了した状態の側面図である。図７はディスク装置が記録・再生状態の側面図である。
【００２６】
ディスク装置２の前面にはフロントベース２０が固定配置されている。フロントベース２０は、カートリッジ１を載置するための載置面２１を有しており、載置面２１の下部には、ポケット２２が設けられている。ポケット２２は、載置面２１に沿って上方向に開口した凹形状をしている。図４に示すように、カートリッジ１は、シャッター１２を上側、すなわち端面１０１を上向きにして、ポケット２２に挿入し、載置面２１に立て掛けるように載置することができる。
【００２７】
フロントベース２０の載置面２１上には、開口部２１０が設けられており、カートリッジ１を載置したとき、カートリッジ１の開口部１００と重なる位置に配置されている。開口部２１０は、カートリッジ１の開口部１００と同様に、後述するターンテーブル４２が通過し、記録・再生時には、光ピックアップ４１がディスク１１に対向するように設けられている。
【００２８】
フロントベース２０の上下には、後述するクランプベース３０を摺動自在に保持するためのガイド部２００が設けられている。また、フロントベース２０の上部には、後述するクランプホルダ３１を回動させるためのカム２００と、後述するオープンレバー３３のガイドピン３３２と係合するガイドレール２０２を備えている。ガイドレール２０２は、ガイドピン３３２を水平に案内しかつそれぞれ相対的に高さ方向の位置が異なる第１及び第２の水平部２０４ａ及び２０４ｂと、第１の水平部２０４ａと第２の水平部２０４ｂとを連続的に接続するように設けられたテーパ部２０３とからなる。これらにより、オープンレバー３３を移動する。
【００２９】
フロントベース２０の載置面２１の裏側には、トラバース４が配置されている。トラバース４は、ディスク１１に記録または再生を行う光ピックアップ４１と、ディスク１１を載置し回転するためのターンテーブル４２を備えた記録再生部である。トラバース４の両側面には回動軸４００が設けられており、トラバース４は、回動軸４００で回動自在に取り付けられている。トラバース４は、図示せぬ駆動手段により、図３に示す待機位置と図７に示す記録・再生位置との間を回動する。
【００３０】
トラバース４が待機位置にあるとき、トラバース４は、その一部も載置面２１に突出することなく、裏側に配置されている。一方、トラバース４が記録・再生位置にあるとき、ターンテーブル４２は、載置面２１の開口部２１０と載置されたカートリッジ１の開口部１００を通過して、カートリッジ１の内部でディスク１１を保持する。このとき、光ピックアップ４１は、載置面２１の開口部２１０と載置されたカートリッジ１の開口部１００を通して、ディスク１１と対向しており、ディスク１１に情報の書き込みまたは読み込みを行うことができる。
【００３１】
クランプ機構３は、左右方向Ｂ１−Ｂ２に移動するクランプベース３０と、クランプベース３０に回動自在に取り付けられたクランプホルダ３１と、クランプホルダ３１に回動自在に保持されているクランパ３２により構成されている。
【００３２】
クランプベース３０は、上下両端に設けられた係合部３００がフロントベース２０の上下に設けられたガイド部２００に係合されており、左右方向Ｂ１−Ｂ２に摺動自在に取り付けられている。すなわち、載置されるカートリッジ１のシャッター１２の開閉方向Ａ１−Ａ２と同一方向に摺動自在に取り付けられている。
【００３３】
クランプベース３０は、図示せぬ駆動手段により、図４に示す待機位置と図５に示す記録・再生位置との間を移動する。クランプベース３０は、待機位置にあるとき、載置面２１に重ならない位置にあり、カートリッジ１を載置面２１またはポケット２２に着脱可能となっている。また、クランプベース３０が記録・再生位置にあるとき、クランプベース３０は、載置面の開口部２１０および載置されたカートリッジ１の開口部１００を覆い隠し、また、クランプベース３０の内部に保持されたクランパ３２がターンテーブル４２と対向する位置にある。
【００３４】
クランプホルダ３１は、回動軸３１０により、クランプベース３０に回動自在に取り付けられている。クランプホルダ３１は、一端にクランパ３２を保持するための開口部３１１を有している。クランパ３２は、ターンテーブル４２に載置されたディスク１１を、ターンテーブル４２と共に狭持するためのもので、開口部３１１に回動自在に保持されている。
【００３５】
また、クランプホルダ３１の他端には、フロントベース２０に設けられたカム２０１と係合し、クランプホルダ３１の回動を行うための係合部３１２を備えている。カム２０１が係合部３１２に作用し、クランプホルダ３１は図３に示す待避位置と図６に示す記録・再生位置の間を回動する。クランプホルダ３１の回動に伴い、クランパ３２はディスク１１の面に垂直な方向Ｃに移動する。
【００３６】
クランプホルダ３１が待避位置にあるとき、クランパ３２はカートリッジ１の前方に保持されており、クランプベース３０が移動する際、カートリッジ１と当接しない位置に保持されている。一方、クランプホルダ３１が記録・再生位置にあるとき、クランパ３２は、ターンテーブル４２と共にディスク１１を狭持し、記録・再生可能な位置に保持されている。
【００３７】
オープンレバー３３は、シャッター開閉部材で、シャッター開閉時にシャッター１２の凸部１２０と当接する開閉部３３０を備えている。オープンレバー３３は、軸３３１でクランプベース３０に、クランプベース３０の移動方向Ｂ１−Ｂ２と略垂直方向Ｄに移動自在に取り付けられている。また、オープンレバー３３には、ガイドピン３３２が設けられており、フロントベース２０に設けられたガイドレール２０２と係合している。このため、オープンレバー３３は、クランプベース２０の移動に応じて、ガイドピン３３２がガイドレール２０２に誘導されて、図４に示す待避位置と図５に示す開閉位置との間を移動する。
【００３８】
オープンレバー３３の待避位置は、カートリッジ１の載置領域より上方に離間した位置にあり、クランプベース３０が待機位置にあるとき、オープンレバー３３は待避位置に位置する。一方、開閉位置は、クランプベース３０の移動時に開閉部３３０がシャッター１２の凸部１２０と当接する位置である。待避位置と開閉位置との間の移動は、ガイドレール２０２のテーパ部２０３によって行われる。テーパ部２０３は、待避位置から開閉位置へ移動したオープンレバー３３が、シャッター１２の凸部１２０とケース１０の凸部１０２との間に入り込むような位置に設けられている。
【００３９】
以上のように構成されたディスク装置２に、カートリッジ１を装着したときの動作を説明する。
【００４０】
カートリッジ１の着脱は、クランプベース３０が待機位置に位置する状態で行われる。このときオープンレバー３３は、待避位置に位置している。
【００４１】
カートリッジ１は、シャッター１２を上向きにして、ポケット２２に挿入し、載置面２１に立て掛けるようように載置する。このとき、オープンレバー３３が待避位置にあるため、カートリッジ１は載置面２１を滑らせるようにポケット２２に挿入して、載置することができ、容易にカートリッジ１の装着を行うことができる。
【００４２】
カートリッジ１を載置後、図示しない開閉ボタンを押すことにより駆動が開始され、クランプベース３０は、図示しない駆動手段により、待機位置から記録・再生位置へと移動する。
【００４３】
オープンレバー３３のガイドピン３３２は、クランプベース３０の移動に伴い、ガイドレール２０２に沿って移動する。オープンレバー３３が待避位置にある時は、ガイドピン３３２がガイドレール２０２の第２の水平部２０４ｂに位置している。そしてクランプベース３０の移動に伴い、ガイドピン３３２が第２の水平部２０４ｂからテーパ部２０３の位置まで移動すると、オープンレバー３３は、テーパ部２０３により、待避位置から開閉位置へ向かって移動する。ガイドピン３３２が第１の水平部２０４ａに移動すると、オープンレバー３３は開閉位置となる。
【００４４】
クランプベース３０が更に移動すると、オープンレバー３３の開閉部３３０は、シャッター１２の凸部１２０に当接する。凸部１２０に当接後も、クランプベース３０は移動を続け、開閉部３３０は凸部１２０をシャッター１２の開放方向Ａ１に押圧する。この押圧により、クランプベース３０の移動に連動して、シャッター１２は閉塞位置から開放位置へと移動する。
【００４５】
クランプベース３０は記録・再生位置まで移動して停止する。このとき、シャッター１２は、開閉部３３０に押圧され、開放位置まで移動し、開放位置に保持されている。
【００４６】
一方、クランプホルダ３１は、クランプベース３０が記録・再生位置近傍まで移動してくると、係合部３１２がフロントベース２０のカム２０１に当接して、回動を始める。クランプベース３０が記録・再生位置まで移動したとき、クランプホルダ３１は待避位置から記録・再生位置へ移動し、クランパ３２はターンテーブル４２とディスク１１を狭持可能な位置に保持されている。
【００４７】
クランプベース３０が記録・再生位置まで移動を完了後、図示せぬ昇降手段によりトラバース４は回動し、待機位置から記録・再生位置へと移動する。ターンテーブル４２は、載置面２１の開口部２１０と、カートリッジ１の開口部１００を貫通し、カートリッジ１の内部で、クランパ３２と共にディスク１１を狭持する。また、光ピックアップ４１は、載置面２１の開口部２１０と、カートリッジ１の開口部１００を通じて、ディスク１１にアクセス可能となる。
【００４８】
なお、記録・再生位置から待機位置への移動は、上記動作の逆手順での動作となる。
【００４９】
以上のように本実施の形態１によれば、クランプ機構３は、クランプベース３０が待機位置と記録・再生位置との間を移動し、クランプ機構３に備えられたオープンレバー３３により、クランプ機構３の移動に連動してシャッター１２の開閉を行うことができ、カートリッジ１の移動を伴わないディスク装置においても適用可能なシャッター開閉機構を提供することができる。
【００５０】
また、クランプベース３０が記録・再生位置にあるとき、オープンレバー３３はシャッター１２を開放位置に保持することができ、カートリッジ１の移動を伴わないディスク装置においても適用可能なシャッター開閉機構および開放維持機構を提供することができる。
【００５１】
また、クランプ機構３の移動方向Ｂ１−Ｂ２がシャッター１２の開閉方向Ａ１−Ａ２と同じにすることで、クランプ機構３の移動が、開閉部３３０からシャッター１２の凸部１２０を押圧する力に直接伝えることができる。つまり、クランプ機構３の移動時に、開閉部３３０がシャッター１２の凸部１２０に当接するように設けることで、クランプ機構３にシャッター開閉機構を実装することができ、容易に且つ部品点数を増やすことなくシャッター開閉機構を提供することができる。
【００５２】
また、オープンレバー３３が、待避位置と開閉位置との間を移動することで、待避位置では、カートリッジ１の載置時に干渉しにくい位置へと移動しており、カートリッジ１の載置を容易にし、開閉位置では、シャッター１２の凸部１２０と開閉部３３０が当接する面積を、増加させることができシャッター１２の開閉を、凸部１２０との係合が外れることなく確実に行うことができる。
【００５３】
なお、本発明は上記した実施の形態に限定されるものではない。
【００５４】
たとえば、本実施の形態１では、開閉部３３０はオープンレバー３３に設けたが、クランプベース３０やクランプホルダー３１に直接設けてもよく、この場合部品点数を少なくする事が可能である。
【００５５】
また、本実施の形態１では、カートリッジ１を縦向きに置き、カートリッジ１が移動しないディスク装置に用いたが、水平向きに置いてもよいし、トレイ方式やスロットイン方式のディスク装置に適用してもよい。
【産業上の利用可能性】
【００５６】
本発明にかかるディスク装置は、カートリッジの移動を伴わないディスク装置においても、シャッターの開閉を行うことができるディスク装置を、部品点数および組み立て工数を大幅に増やすことなく提供することが可能になるので、シャッター開閉式カートリッジを装着可能なディスク装置に有用である。
【図面の簡単な説明】
【００５７】
【図１】（ａ）本発明の実施の形態１におけるディスク装置に用いられるシャッターが閉塞状態にあるカートリッジの平面図（ｂ）本発明の実施の形態１におけるディスク装置に用いられるシャッターが開放状態にあるカートリッジの平面図
【図２】本発明の実施の形態１におけるディスク装置の待機状態を示す平面図
【図３】本発明の実施の形態１におけるディスク装置の待機状態を示す側面図
【図４】本発明の実施の形態１におけるディスク装置にカートリッジを載置した状態の平面図
【図５】本発明の実施の形態１におけるディスク装置においてクランプベースが記録・再生位置に移動完了した状態の平面図
【図６】本発明の実施の形態１におけるディスク装置においてクランプベースが記録・再生位置に移動完了した状態の側面図
【図７】本発明の実施の形態１におけるディスク装置が記録・再生状態の側面図
【符号の説明】
【００５８】
１    カートリッジ
１０    ケース
１００    開口部
１０１    湯麺
１０２    凸部
１１    ディスク
１２    シャッター
１２０    凸部
２    ディスク装置
２０    フロントベース
２００    ガイド部
２０１    カム
２０２    ガイドレール
２０３    テーパ部
２１    載置面
２２    ポケット
３    クランプ機構
３０    クランプベース
３００    係合部
３１    クランプホルダ
３１０    回動軸
３１１    開口部
３１２    係合部
３２    クランパ
３３    オープンレバー
３３０    開口部
３３１    軸
３３２    ガイドピン
４    トラバース
４００    回動軸
４１    光ピックアップ
４２    ターンテーブル
【図１】
2006079697.tif 000003
【図２】
2006079697.tif 000004
【図３】
2006079697.tif 000005
【図４】
2006079697.tif 000006
【図５】
2006079697.tif 000007
【図６】
2006079697.tif 000008
【図７】
2006079697.tif 000009